(57)【要約】【課題】  電子装置の駆動に必要な電源を減少させ，特に，バッテリーを使用する携帯用電子装置の場合，バッテリーの使用時間及び寿命を増加させることができる電子装置及びその制御方法を提供する。【解決手段】  複数の電子部品を有する電子装置において；マイコン２０と，電子装置の第１モードで，マイコン２０の駆動に必要な電源を供給するリニア電圧レギュレータ５０と，電子装置の第２モードで，複数の電子部品のうちの少なくとも１つに，電源を供給するスイッチング電圧レギュレータ６０ａと，電子装置が第２モードで動作する時に，スイッチング電圧レギュレータ６０ａからの電源をマイコン２０の駆動に必要な電源として供給する制御部９０と，を備えることを特徴とする電子装置が提供される。【選択図】    図２
2005304296.tif 000002
【特許請求の範囲】
【請求項１】
複数の電子部品を有する電子装置において；
マイコンと，
前記電子装置の第１モードで，前記マイコンの駆動に必要な電源を供給する第１レギュレータと，
前記電子装置の第２モードで，前記複数の電子部品のうちの少なくとも１つに，電源を供給する第２レギュレータと，
前記電子装置が前記第２モードで動作する時に，前記第２レギュレータからの電源を前記マイコンの駆動に必要な電源として供給する制御部と，
を備えることを特徴とする電子装置。
【請求項２】
前記第２レギュレータは，前記第１レギュレータより相対的に電源変換効率が高いことを特徴とする，請求項１に記載の電子装置。
【請求項３】
前記第１レギュレータは，リニア電圧レギュレータであることを特徴とする，請求項１または２に記載の電子装置。
【請求項４】
前記第２レギュレータは，前記マイコンの駆動に必要な電源の電圧レベルを生成するスイッチング電圧レギュレータを有することを特徴とする，請求項１〜３のいずれかに記載の電子装置。
【請求項５】
前記制御部は，
前記第１レギュレータの電源出力端に順方向に連結された第１ダイオードと，
前記第２レギュレータの電源出力端に順方向に連結された第２ダイオードと，
を有することを特徴とする，請求項１〜４のいずれかに記載の電子装置。
【請求項６】
前記制御部は，
前記第１レギュレータの電源出力端に順方向に連結されるダイオードと，
前記第２レギュレータから前記マイコンに供給される電源を断続するスイッチング部と，
前記第２レギュレータから電源が出力される場合，前記スイッチング部をオンさせるスイッチング制御部と，
を有することを特徴とする，請求項１〜４のいずれかに記載の電子装置。
【請求項７】
前記スイッチング制御部は，前記マイコンであり，前記第２レギュレータから電源が出力されるか否かによって前記スイッチング部を制御することを特徴とする，請求項６に記載の電子装置。
【請求項８】
前記スイッチング制御部は，前記第２レギュレータから電源が出力される場合，前記第１レギュレータをシャットダウンすることを特徴とする，請求項６または７に記載の電子装置。
【請求項９】
前記制御部は，前記第２レギュレータから電源が出力される場合，前記第１レギュレータをシャットダウンする，シャットダウン信号出力部を有することを特徴とする，請求項１〜８のいずれかに記載の電子装置。
【請求項１０】
前記シャットダウン信号出力部は，前記電子部品のうちの少なくともいずれか１つの駆動に必要な電源を供給する，スイッチング電圧レギュレータであることを特徴とする，請求項９に記載の電子装置。
【請求項１１】
前記シャットダウン信号出力部は，前記マイコンであり，前記第２レギュレータから電源が出力される場合，前記第１レギュレータをシャットダウンすることを特徴とする，請求項９に記載の電子装置。
【請求項１２】
前記シャットダウン信号出力部は，前記第２レギュレータから電源が出力され，前記マイコンに前記第２レギュレータからの電源が供給された時から一定時間が経過した後に，前記第１レギュレータをシャットダウンすることを特徴とする，請求項９〜１１のいずれかに記載の電子装置。
【請求項１３】
前記シャットダウン信号出力部は，前記電子装置がオフされ，前記第２レギュレータからの電源出力が中断される前に，前記第１レギュレータから前記マイコンに電源が供給されるように，前記第１レギュレータを制御することを特徴とする，請求項９〜１２のいずれかに記載の電子装置。
【請求項１４】
前記第１レギュレータと前記第２レギュレータとに電源を供給する電源供給部をさらに備え，
前記電源供給部は，アダプタまたはバッテリーの少なくともいずれか１つを有することを特徴とする，請求項１〜１３のいずれかに記載の電子装置。
【請求項１５】
前記第２レギュレータは，前記電子装置がオンの状態である時に電源を出力することを特徴とする，請求項１〜１４のいずれかに記載の電子装置。
【請求項１６】
前記第１モードは，前記第２レギュレータから電源が出力されない状態を定義し，前記第２モードは，前記第２レギュレータから電源が出力される状態を定義することを特徴とする，請求項１〜１５のいずれかに記載の電子装置。
【請求項１７】
前記第１モードは，前記電子装置のオフの状態を定義するオフモードを含むことを特徴とする，請求項１６に記載の電子装置。
【請求項１８】
複数の電子部品を有する電子装置において；
マイコンと，
前記電子装置の第１モードで，前記マイコンの駆動に必要な電源を供給する第１レギュレータと，
前記電子装置の第２モードで，前記複数の電子部品のうちの少なくともいずれか1つ及び前記マイコンに電源を供給する第２レギュレータと，
前記電子装置が前記第２モードから前記第１モードに転換される時，前記第２レギュレータからの電源出力が中断される前に，前記第１レギュレータが前記マイコンに，前記マイコンの駆動に必要な電源を供給するように制御する制御部と，
を備えることを特徴とする電子装置。
【請求項１９】
前記第１レギュレータは，リニア電圧レギュレータであることを特徴とする，請求項１８に記載の電子装置。
【請求項２０】
前記第２レギュレータは，前記マイコンの駆動に必要な電源の電圧レベルを生成するスイッチング電圧レギュレータであることを特徴とする，請求項１９に記載の電子装置。
【請求項２１】
複数の電子部品と，マイコンと，前記マイコンの駆動に必要な電源を供給する第１レギュレータと，前記複数の電子部品のうちの少なくともいずれか１つに電源を供給するための第２レギュレータと，を備える電子装置の制御方法において；
前記第２レギュレータから電源が出力される場合，前記第２レギュレータから出力される電源を前記マイコンの駆動に必要な電源として供給する段階と，
前記第２レギュレータから電源が出力されない場合，前記第１レギュレータから出力される電源を前記マイコンに供給する段階と，
を含むことを特徴とする，電子装置の制御方法。
【請求項２２】
前記マイコンに前記第２レギュレータからの電源が供給された時から一定時間が経過した後，前記第１レギュレータをシャットダウンする段階をさらに含むことを特徴とする，請求項２１に記載の電子装置の制御方法。
【請求項２３】
前記第２レギュレータは，前記電子装置がオンされる場合に電源を出力することを特徴とする，請求項２１または２２に記載の電子装置の制御方法。
【発明の詳細な説明】
【技術分野】
【０００１】
本発明は電子装置及びその制御方法に係り，特に電源をマイコンの駆動に必要な電源に変換出力するリニア電圧レギュレータと，システム部の駆動に必要な電源に変換出力するスイッチング電圧レギュレータとを備える電子装置及びその制御方法に関する。
【背景技術】
【０００２】
一般に，ラップトップ（Ｌａｐｔｏｐ）コンピュータ，ノートブックコンピュータ，ＰＤＡ（Ｐｅｒｓｏｎａｌ  Ｄｉｇｔａｌ  Ａｓｓｉｓｔａｎｔｓ）などのような携帯用コンピュータ，モバイル電話，ＣＤプレーヤー及びビデオカムコーダなどのように，バッテリーを使用する電子装置は携帯が可能であり，移動中に使用できるという長所のため，近来，広く利用されている。また，このような携帯用電子装置は，一般的にアダプタを接続して常用交流電源を使用することができる。
【０００３】
このような携帯用電子装置分野の発達と共に，その重要性が浮び上がっている技術分野は，携帯用電子装置に使用されるバッテリーに関する技術分野である。これは，携帯用電子装置の携帯中の使用は携帯中の電源供給が必須なためであり，これによりバッテリーの充電容量と使用時間を増加させるための多様な技術が開発されている。また，同一な充電容量を有するバッテリーを使用しながらもその使用期間を増加させるための方法，言い換えれば，電子装置が最少電力のみを使用することによってバッテリーの使用時間を増加させるための方法も活発に研究されている傾向にある。
【０００４】
図１は従来の電子装置の電源供給体系を示すための制御ブロック図である。図面に示されているように，従来の電子装置は，その電子装置の機能を遂行して複数の電子部品から構成されたシステム部１３０と，少なくともアダプタ１１１またはバッテリー１１２のいずれかを有して電子装置に電源を供給する電源供給部１１０と，電源供給部１１０から供給される電源を制御するマイコン１２０とを備える。
【０００５】
また，従来の電子装置は，電源供給部１１０から供給される電源をマイコン１２０の駆動に必要な電源に変換して出力するリニア電圧レギュレータ１５０（ＬＶＲ：Ｌｉｎｅａｒ  Ｖｏｌｔａｇｅ  Ｒｅｇｕｌａｔｏｒ）と，電源供給部１１０から供給される電源をシステム部１３０の各電子部品の駆動に必要な電源に変換して出力する複数のスイッチング電圧レギュレータ１６０ａ，１６０ｂ，１６０ｃ，１６０ｎ（ＳＶＲ：Ｓｗｉｔｃｈｉｎｇ  Ｖｏｌｔａｇｅ  Ｒｅｇｕｌａｔｏｒ）とを備える。
【０００６】
マイコン１２０は，リニア電圧レギュレータ１５０から電源供給を受け，電子装置がオフの状態である時にも常にオンの状態に維持されることが一般的である。これによって，使用者が電源ボタン（図示せず）を操作し，電源信号出力部１７０から電源信号が出力される場合，これを電気的に感知することができ，各スイッチング電圧レギュレータ１６０ａ，１６０ｂ，１６０ｃ，１６０ｎからシステム部１３０に供給される電源を断続することによって，電子装置をオンまたはオフさせることができる。
【０００７】
電源スイッチング部１１３は，アダプタ１１１とバッテリー１１２のうちのいずれか１つから出力される電源が，リニア電圧レギュレータ１５０とスイッチング電圧レギュレータ１６０ａ，１６０ｂ，１６０ｃ，１６０ｎに供給されるようスイッチングする。
【０００８】
一般に，リニア電圧レギュレータ１５０は安定的な定電圧の出力が可能であり，ノイズに強く，出力リップル電圧（Ｒｉｐｐｌｅ  Ｖｏｌｔａｇｅ）が低いという長所があるため，マイコン１２０に供給される電源を出力することに使用される。
【０００９】
また，スイッチング電圧レギュレータ１６０ａ，１６０ｂ，１６０ｃ，１６０ｎは，電力変換効率に優れており，高周波数に変換するためのトランスが小型化されて小型軽量に製作可能であり，発熱が少ないという長所があるため，多様な電圧レベルが要求されるシステム部１３０の各電子部品に必要な電源を供給することに使用される。
【発明の開示】
【発明が解決しようとする課題】
【００１０】
しかし，このような従来の電子装置の電源供給体系において，マイコン１２０の駆動に必要な電源を供給するためにリニア電圧レギュレータ１５０を使用する場合，リニア電圧レギュレータ１５０の特性として電圧変換効率が低いので，電力損失が大きく発生する問題点がある。実質的に，リニア電圧レギュレータ１５０の電源変換効率は約１７％程度に過ぎないため，リニア電圧レギュレータ１５０の入力電源が８０％以上の電力損失を発生させる短所がある。
【００１１】
特に，携帯用電子装置の場合，前述のように，携帯用電子装置でのバッテリー１１２使用時間と電子装置の不要な電力損失とは密接な相関関係を有しているため，携帯用電子装置ではその電力損失の量が微細であっても，これを除去する技術の開発が切実に要求される。
【００１２】
ここで，マイコンの電源供給のためにスイッチング電圧レギュレータの使用を考慮することができるが，スイッチング電圧レギュレータは電源変換効率がリニア電圧レギュレータより優れているが，スイッチング電圧レギュレータを動作させるための別途の制御回路（図示せず）を必要とし，制御回路の駆動のための電源を消耗するので，リニア電圧レギュレータより全体的な電力消耗が大きくなってしまし，マイコンの電源供給のためにスイッチング電圧レギュレータを使用することは適切でない。
【００１３】
そこで，本発明は，このような問題に鑑みてなされたもので，その目的とするところは，電子装置の駆動に必要な電源を減少させ，特に，バッテリーを使用する携帯用電子装置の場合，バッテリーの使用時間及び寿命を増加させることができる電子装置及びその制御方法を提供することにある。
【課題を解決するための手段】
【００１４】
上記課題を解決するために，本発明のある観点によれば，複数の電子部品を有する電子装置において；マイコンと，電子装置の第１モードで，マイコンの駆動に必要な電源を供給する第１レギュレータと，電子装置の第２モードで，複数の電子部品のうちの少なくとも１つに，電源を供給する第２レギュレータと，電子装置が第２モードで動作する時に，第２レギュレータからの電源をマイコンの駆動に必要な電源として供給する制御部と，を備えることを特徴とする電子装置が提供される。
【００１５】
このように，第１モードでは，第１レギュレータがマイコンの駆動に必要な電源を供給し，第２モードでは，第２レギュレータが電子装置内の少なくとも１つの電子部品に電源を供給するとともに，制御部が第２レギュレータからの電源出力をマイコンの駆動にも用いられるように供給制御するので，マイコン駆動に必要な電源の供給を効率的にすることができ，電子装置の駆動に必要な電源を減少させることができる。
【００１６】
ここで，第２レギュレータは，第１レギュレータより相対的に電源変換効率が高いとよく，第２モードで電源変換効率の高い第２レギュレータからマイコンの駆動に必要な電源を供給することができるので，電子装置の駆動に必要な電源を減少させることができる。
【００１７】
上記構成のために，第１レギュレータは，リニア電圧レギュレータとすることができる。また，第２レギュレータは，マイコンの駆動に必要な電源の電圧レベルを生成するスイッチング電圧レギュレータを有するものとすることができる。一般的にスイッチング電圧レギュレータは，リニア電圧レギュレータよりも電源変換効率が高いので，電子装置の駆動に必要な電源を減少させることができる。
【００１８】
また，制御部は，第１レギュレータの電源出力端に順方向に連結された第１ダイオードと，第２レギュレータの電源出力端に順方向に連結された第２ダイオードと，を有して構成することができる。この構成は回路構成が非常に簡単である利点がある。
【００１９】
または，制御部は，第１レギュレータの電源出力端に順方向に連結されるダイオードと，第２レギュレータからマイコンに供給される電源を断続するスイッチング部と，第２レギュレータから電源が出力される場合，スイッチング部をオンさせるスイッチング制御部と，を有する構成とすることもできる。
【００２０】
この時，スイッチング制御部はマイコンであってもよく，第２レギュレータから電源が出力されるか否かによってスイッチング部を制御することができる。スイッチング制御部をマイコンにすると，回路構成を簡略にすることができる。
【００２１】
このようなスイッチング制御部は，第２レギュレータから電源が出力される場合，第１レギュレータをシャットダウンする。第１レギュレータをシャットダウンして第２レギュレータからの電源出力をマイコンに供給することによって，電子装置の駆動に必要な電源を減少させることができる。
【００２２】
また，制御部は，第２レギュレータから電源が出力される場合，第１レギュレータをシャットダウンする，シャットダウン信号出力部を有するとよい。シャットダウン信号出力部からのシャットダウン信号によって，第１レギュレータをシャットダウンすることができる。
【００２３】
ここで，シャットダウン信号出力部は，電子部品のうちの少なくともいずれか１つの駆動に必要な電源を供給する，スイッチング電圧レギュレータであってもよく，回路構成を簡略にすることができる。または，シャットダウン信号出力部は，マイコンであってもよく，第２レギュレータから電源が出力される場合，第１レギュレータをシャットダウンすることができる。
【００２４】
シャットダウン信号出力部は，第２レギュレータから電源が出力され，マイコンに第２レギュレータからの電源が供給された時から一定時間が経過した後に，第１レギュレータをシャットダウンするとよい。マイコンに第２レギュレータからの電源が供給された時から一定時間が経過した後に第１レギュレータをシャットダウンすることによって，マイコンに電源を安定的に供給することができる。
【００２５】
さらに，シャットダウン信号出力部は，電子装置がオフされ，第２レギュレータからの電源出力が中断される前に，第１レギュレータからマイコンに電源が供給されるように，第１レギュレータを制御するとよい。この場合も，電子装置の電源オフ時にマイコンに電源を安定的に供給することができる。
【００２６】
また，電子装置は，第１レギュレータと第２レギュレータとに電源を供給する電源供給部をさらに備え，電源供給部は，アダプタまたはバッテリーの少なくともいずれか１つを有することができる。バッテリーは電子装置に着脱可能に設けることができる。
【００２７】
ここで，第２レギュレータは，電子装置がオンの状態である時に電源を出力することができ，マイコンに第２レギュレータからの電源が供給された後に，第１レギュレータをシャットダウンすることができる。
【００２８】
また，第１モードは，第２レギュレータから電源が出力されない状態を定義し，第２モードは，第２レギュレータから電源が出力される状態を定義することができる。この時，第１モードは，電子装置のオフの状態を定義するオフモードを含むことができる。
【００２９】
上記課題を解決するために，本発明の別の観点によれば，複数の電子部品を有する電子装置において；マイコンと，電子装置の第１モードで，マイコンの駆動に必要な電源を供給する第１レギュレータと，電子装置の第２モードで，複数の電子部品のうちの少なくともいずれか1つ及び前記マイコンに電源を供給する第２レギュレータと，電子装置が第２モードから第１モードに転換される時，第２レギュレータからの電源出力が中断される前に，第１レギュレータがマイコンに，マイコンの駆動に必要な電源を供給するように制御する制御部と，を備えることを特徴とする電子装置が提供される。
【００３０】
第１モードでは，第１レギュレータがマイコンの駆動に必要な電源を供給し，第２モードでは，第２レギュレータが電子装置内の少なくとも１つの電子部品に電源を供給するとともに，第２レギュレータからの電源出力をマイコンの駆動にも用いられるように制御部が供給制御するので，マイコン駆動に必要な電源の供給を効率的にすることができ，電子装置の駆動に必要な電源を減少させることができる。
【００３１】
ここで，第１レギュレータは，リニア電圧レギュレータであることができる。また，第２レギュレータは，マイコンの駆動に必要な電源の電圧レベルを生成するスイッチング電圧レギュレータであることができる。一般的にスイッチング電圧レギュレータは，リニア電圧レギュレータよりも電源変換効率が高いので，電子装置の駆動に必要な電源を減少させることができる。
【００３２】
上記課題を解決するために，本発明のさらに別の観点によれば，複数の電子部品と，マイコンと，マイコンの駆動に必要な電源を供給する第１レギュレータと，複数の電子部品のうちの少なくともいずれか１つに電源を供給するための第２レギュレータと，を備える電子装置の制御方法において；
第２レギュレータから電源が出力される場合，第２レギュレータから出力される電源をマイコンの駆動に必要な電源として供給する段階と，第２レギュレータから電源が出力されない場合，第１レギュレータから出力される電源をマイコンに供給する段階と，を含むことを特徴とする，電子装置の制御方法が提供される。
【００３３】
上記電子装置を用い，第１モードでは，第１レギュレータがマイコンの駆動に必要な電源を供給し，第２モードでは，第２レギュレータが電子装置内の少なくとも１つの電子部品に電源を供給するとともに，第２レギュレータからの電源出力をマイコンの駆動にも供給することにより，マイコン駆動に必要な電源の供給を効率的にすることができ，電子装置の駆動に必要な電源を減少させることができる。
【００３４】
ここで，マイコンに第２レギュレータからの電源が供給された時から一定時間が経過した後，第１レギュレータをシャットダウンする段階をさらに含むとよい。マイコンに第２レギュレータからの電源が供給された時から一定時間が経過した後に第１レギュレータをシャットダウンすることによって，マイコンに電源を安定的に供給することができる。
【００３５】
また，第２レギュレータは，電子装置がオンされる場合に電源を出力することができる。こうして，マイコンに第２レギュレータからの電源が供給された後に，第１レギュレータをシャットダウンすることができる。
【発明の効果】
【００３６】
以上詳述したように本発明によれば，マイコンに電源を供給するレギュレータを１つに限定せずに，電子装置がオンしている場合には，電子装置内の電子部品に電源を供給するレギュレータからも，マイコン駆動するために電源出力することにより，電子装置の駆動に必要な電源を減少させ，特に，バッテリーを使用する携帯用電子装置の場合，バッテリーの使用時間及び寿命を増加させることができる。
【発明を実施するための最良の形態】
【００３７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３８】
（第１の実施の形態）
本実施の形態による電子装置は，図２に示されているように，電源供給部１０，システム部３０，マイコン２０，第１レギュレータであるリニア電圧レギュレータ５０，複数の第２レギュレータであるスイッチング電圧レギュレータ６０ａ，６０ｂ，６０ｃ，６０ｎ及び制御部９０を備える。
【００３９】
電源供給部１０は，システム部やマイコン２０などの，電子装置の駆動に必要な電源ＶＩを供給する。本実施の形態による電源供給部１０は，常用交流電源を直流電源に変換する，少なくともアダプタ１１またはバッテリー１２のいずれかを備えることができる。ここで，バッテリー１２は電子装置に着脱可能に設けられるものであるが，図示されていない充電部によって再充電可能な２次電池であってもよい。
【００４０】
システム部３０は，本実施の形態による電子装置の主機能を遂行する複数の電子部品から構成される。例えば，携帯用コンピュータである場合，システム部３０の電子部品は，ＣＰＵ，ラムなどのメモリ，チップセット，メーンボード，グラフィックカードなどを有することができる。ここで，システム部３０の各電子部品は，各スイッチング電圧レギュレータ６０ａ，６０ｂ，６０ｃ，６０ｎから多様な電圧レベルを有する電源ＶＳ１，ＶＳ２，ＶＳ３，ＶＳｎの供給を受けて駆動する。
【００４１】
リニア電圧レギュレータ５０は，電源供給部１０から供給される電源をマイコン２０の駆動に必要な電源Ｖｍｉｃｏｍ（以下，駆動電源Ｖｍｉｃｏｍという）に変換して出力する。リニア電圧レギュレータ５０から出力される電源ＶＬは制御部９０によってマイコン２０に供給または遮断される。
【００４２】
マイコン２０は，電源信号出力部７０から出力される電源信号に基づいてスイッチング電圧レギュレータ６０ａ，６０ｂ，６０ｃ，６０ｎからの電源出力の要否を制御してシステム部３０の各電子部品に供給される電源ＶＳ１，ＶＳ２，ＶＳ３，ＶＳｎを管理することによって，電子装置をオンまたはオフさせる。ここで，電源信号出力部７０は，電源ボタン（図示せず）に対する使用者の操作やリモコンまたはその他の遠隔で電子装置をオンまたはオフさせるための装置（図示せず）の動作に対応して電源信号を出力する。
【００４３】
各スイッチング電圧レギュレータ６０ａ，６０ｂ，６０ｃ，６０ｎは，マイコン２０の制御によって電源供給部１０から供給される電源ＶＳ１，ＶＳ２，ＶＳ３，ＶＳｎをそれぞれのスペックに応じた電圧レベルに変換してシステム部３０の各電子部品に供給する。
【００４４】
例えば，本実施の形態による電子装置が携帯用コンピュータである場合，スイッチング電圧レギュレータ６０ａ，６０ｂ，６０ｃ，６０ｎは，システムの各電子部品の駆動に必要な多様な電圧レベル，例えば，±５Ｖ，±３．３Ｖ，±２．５Ｖなどの電源を出力し，各電圧レベルの電源は各電子部品の必要によって，ＣＰＵ，ラムなどのメモリ，チップセット，メーンボード，グラフィックカードなどの駆動及び信号伝達に必要な電源として供給される。
【００４５】
ここで，本実施の形態のスイッチング電圧レギュレータ６０ａ，６０ｂ，６０ｃ，６０ｎのうちの少なくともいずれか１つはリニア電圧レギュレータ５０から出力される電源ＶＬと同一な電圧レベルの電源を出力することとする。つまり，スイッチング電圧レギュレータ６０ａ，６０ｂ，６０ｃ，６０ｎのうちの少なくともいずれか１つはマイコン２０の駆動電源Ｖｍｉｃｏｍの電圧レベルと同一な電圧レベルを有する電源を出力する。
【００４６】
本実施の形態では，マイコン２０の駆動電源Ｖｍｉｃｏｍの電圧レベルが３．３Ｖであり，スイッチング電圧レギュレータ６０ａ，６０ｂ，６０ｃ，６０ｎのうちの第１スイッチング電圧レギュレータ６０ａから出力される電源ＶＳ１の電圧レベルが３．３Ｖであることを一例として以下に説明する。
【００４７】
制御部９０は，リニア電圧レギュレータ５０または第１スイッチング電圧レギュレータ６０ａのいずれか１つから出力される電源ＶＬ１またはＶＳ１をマイコン２０の駆動電源Ｖｍｉｃｏｍとして供給する電源選択部４０を有する。本実施の形態による電源選択部４０は，第１スイッチング電圧レギュレータ６０ａからマイコン２０の駆動電源Ｖｍｉｃｏｍと同一な電圧レベルの電源が出力される場合，第１スイッチング電圧レギュレータ６０ａから出力される電源ＶＳ１をマイコン２０に供給するように設けられる。
【００４８】
例えば，電子装置がオフの状態である場合には第１スイッチング電圧レギュレータ６０ａから電源ＶＳ１が出力されない状態であり，したがって，リニア電圧レギュレータ５０はマイコン２０が常にオンの状態を維持することができるように電子装置がオフの状態である時にも電源ＶＬを出力する。この時，電源選択部４０はリニア電圧レギュレータ５０から出力される電源ＶＬをマイコン２０の駆動電源Ｖｍｉｃｏｍとして供給する。
【００４９】
また，使用者が電源ボタンなどの操作によって電子装置をオンさせる場合，マイコン２０は電源信号出力部７０からの電源信号に基づいて第１スイッチング電圧レギュレータ６０ａ及び他のスイッチング電圧レギュレータ６０ｂ，６０ｃ，６０ｎがシステム部３０の各電子部品に電源ＶＳ１，ＶＳ２，ＶＳ３，ＶＳｎを供給するように制御する。
【００５０】
この時，第１スイッチング電圧レギュレータ６０ａからもマイコン２０の駆動電源Ｖｍｉｃｏｍと同一な電圧レベルを有する電源ＶＳ１が出力され，電源選択部４０は，リニア電圧レギュレータ５０からマイコン２０に供給される電源ＶＬを遮断すると共に第１スイッチング電圧レギュレータ６０ａからの電源ＶＳ１をマイコン２０に供給する。
【００５１】
一方，制御部９０は，リニア電圧レギュレータ５０をシャットダウンするためのシャットダウン信号ｓｈｕｔ＿ｄｏｗｎを出力するシャットダウン信号出力部８０をさらに有することができる。
【００５２】
ここで，シャットダウン信号出力部８０は，第１スイッチング電圧レギュレータ６０ａからマイコン２０の駆動電源Ｖｍｉｃｏｍと同一な電圧レベルの電源ＶＳ１が出力される場合，シャットダウン信号ｓｈｕｔ＿ｄｏｗｎを出力することによって，リニア電圧レギュレータ５０からの電源ＶＬ出力を遮断する。これによって，第１スイッチング電圧レギュレータ６０ａから出力される電源ＶＳ１がマイコン２０に供給される時，リニア電圧レギュレータ５０の駆動を停止させることによって，リニア電圧レギュレータ５０による電力損失を遮断する。
【００５３】
図２で，電源スイッチング部１３は，アダプタ１１とバッテリー１２のうちのいずれか１つから出力される電源が，リニア電圧レギュレータ５０とスイッチング電圧レギュレータ６０ａ，６０ｂ，６０ｃ，６０ｎに供給されるように機能する。
【００５４】
ここで，電源スイッチング部１３は，アダプタ１１とバッテリー１２の電源出力端に各々順方向に連結されたダイオードとすることができ，ＦＥＴ（Ｆｉｅｌｄ  Ｅｆｆｅｃｔ  Ｔｒａｎｓｉｓｔｏｒ）などのスイッチング素子から構成することもできる。アダプタ１１とバッテリー１２のうちのいずれか１つからの電源をリニア電圧レギュレータ５０とスイッチング電圧レギュレータ６０ａ，６０ｂ，６０ｃ，６０ｎに供給することができれば，他にも様々な構成が可能である。
【００５５】
図３は本実施の形態による電子装置を説明するためのレギュレータ及び電源選択部４０を示す説明図である。図面に示されているように，電子装置の電源選択部４０は，リニア電圧レギュレータ５０の電源出力端に順方向に連結された第１ダイオード４１と，第１スイッチング電圧レギュレータ６０ａの電源出力端に順方向に連結された第２ダイオード４２とを備えている。
【００５６】
これによって，マイコン２０にはリニア電圧レギュレータ５０から出力される電源ＶＬまたは第１スイッチング電圧レギュレータ６０ａから出力される電源ＶＳ１のいずれかの大きな電圧レベルを有する電源がマイコン２０の駆動電源Ｖｍｉｃｏｍとして供給される。
【００５７】
また，電子装置のシャットダウン信号出力部８０は，電子部品に必要な電源ＶＳ１，ＶＳ２，ＶＳ３，ＶＳｎを生成する他のスイッチング電圧レギュレータ，例えば，第２スイッチング電圧レギュレータ６０ｂであってもよい。
【００５８】
例えば，リニア電圧レギュレータ５０のスペックが５Ｖの電圧レベルを有するシャットダウン信号ｓｈｕｔ＿ｄｏｗｎを要求する場合，５Ｖの電源を出力するスイッチング電源レギュレータの電源出力端とリニア電圧レギュレータ５０の図示されていないシャットダウン入力ピンとを連結する。
【００５９】
これによって，電子装置がオンされる場合，第１スイッチング電圧レギュレータ６０ａ及び他のスイッチング電圧レギュレータ６０ｂ，６０ｃ，６０ｎから電源が出力され，この時，電源選択部４０は第１スイッチング電圧レギュレータ６０ａからの電源ＶＳ１をマイコン２０の駆動電源Ｖｍｉｃｏｍとして供給し，第２スイッチング電圧レギュレータ６０ｂから出力される５Ｖの電源はリニア電圧レギュレータ５０をシャットダウンさせることによりリニア電圧レギュレータ５０からの電源ＶＬ出力を遮断する。
【００６０】
図４を参照して本実施の形態による電子装置の動作をより詳細に説明する。まず，電子装置がオフの状態である時，リニア電圧レギュレータ５０から出力される電源ＶＬはマイコン２０の駆動に必要な３．３Ｖの電圧レベルを有し，第１スイッチング電圧レギュレータ６０ａと第２スイッチング電圧レギュレータ６０ｂからは電源ＶＳ１，ＶＳ２が出力されない状態である。図４のＰ１期間は電子装置がオフされた状態で，電源選択部４０によって，リニア電圧レギュレータ５０から出力される電源ＶＬがマイコン２０の駆動電源Ｖｍｉｃｏｍとして供給される期間である。
【００６１】
この時，使用者がＴ１時点で電子装置をオンさせる場合，第１スイッチング電圧レギュレータ６０ａを含んだスイッチング電圧レギュレータ６０ｂ，６０ｃ，６０ｎから電源ＶＳ１，ＶＳ２，ＶＳ３，ＶＳｎが出力される。
【００６２】
ここで，電子装置をオンさせるＴ１時点と第１スイッチング電圧レギュレータ６０ａと第２スイッチング電圧レギュレータ６０ｂから電源ＶＳ１，ＶＳ２が出力されるＴ２及びＴ３時点の間の時間間隔は，信号及び電源流れでのディレイやシステム部３０の各電子部品への電源供給に対する予め設定された順序による差によるものである。
【００６３】
ここで，第１スイッチング電圧レギュレータ６０ａから３．３Ｖの電源ＶＳ１が出力されるＴ２時点で，電源選択部４０は，リニア電圧レギュレータ５０からの電源ＶＬと第１スイッチング電圧レギュレータ６０ａからの電源ＶＳ１のうちの大きな電圧レベルを有する，電圧レベルの安定した電源をマイコン２０の駆動電源Ｖｍｉｃｏｍとして供給する。したがって，実質的にＰ２期間ではリニア電圧レギュレータ５０と第１スイッチング電圧レギュレータ６０ａから出力される電源ＶＬ，ＶＳ１のうちの大きな電圧レベルを有する電源が選択的にマイコン２０の駆動電源Ｖｍｉｃｏｍとして供給される。
【００６４】
この時，第２スイッチング電圧レギュレータ６０ｂから５Ｖの電源ＶＳ２が出力されるＴ３時点でリニア電圧レギュレータ５０がショットダウンされ，リニア電圧レギュレータ５０からの電源ＶＬ出力が遮断される。これによって，Ｐ３期間では第１スイッチング電圧レギュレータ６０ａからの電源ＶＳ１のみがマイコン２０に供給されることによって，電源供給部１０からの電源効率が向上する。
【００６５】
（第２の実施の形態）
図５は第２の実施の形態による電子装置を説明するための図面である。ここで，第１の実施の形態による電子装置と同一な構成に対しては同一な参照番号を使用し，必要によってその説明を省略する。
【００６６】
本実施の形態による電子装置のシャットダウン信号出力部８０は，マイコン２０であることを特徴としている。シャットダウン信号出力部８０がマイコン２０であること以外については，第１の実施の形態と同じ構成であるので，説明を省略する。ここで，マイコン２０は，第１スイッチング電圧レギュレータ６０ａからマイコン２０の駆動に必要な電圧レベルの電源ＶＳ１が出力される場合に，シャットダウン信号ｓｈｕｔ＿ｄｏｗｎを出力する。
【００６７】
ここで，本実施の形態によるマイコン２０は，第１スイッチング電圧レギュレータ６０ａからマイコン２０の駆動電源Ｖｍｉｃｏｍと同一な電圧レベルの電源ＶＳ１が出力されるか否かを感知してシャットダウン信号ｓｈｕｔ＿ｄｏｗｎを出力することができる。また，電源信号出力部７０からの電源信号が感知された後に，一定時間が経過することを，第１スイッチング電圧レギュレータ６０ａからマイコン２０の駆動電源Ｖｍｉｃｏｍと同一な電圧レベルの電源ＶＳ１が出力されたこととして判断することができる。
【００６８】
つまり，マイコン２０は，第１スイッチング電圧レギュレータ６０ａからマイコン２０の駆動電源Ｖｍｉｃｏｍと同一な電圧レベルの電源ＶＳ１が出力された後，シャットダウン信号ｓｈｕｔ＿ｄｏｗｎを出力することによって，マイコン２０に安定的な駆動電源Ｖｍｉｃｏｍが供給されるようにする。
【００６９】
（第３の実施の形態）
図６は，第３の実施の形態による電子装置を説明するための図面である。ここで，第１の実施の形態による電子装置と同一な構成に対しては同一な参照番号を使用し，必要によってその説明を省略する。
【００７０】
本実施の形態による電子装置の電源選択部４０ａは，リニア電圧レギュレータ５０の電源出力端に順方向に連結されるダイオード４４と，スイッチング電圧レギュレータ６０ａ，６０ｂ，６０ｃ，６０ｎからマイコン２０に供給される電源を断続するスイッチング部４３と，スイッチング部４３をオン／オフさせるスイッチング制御部４５とを有することを特徴としている。
【００７１】
スイッチング部４３はＦＥＴ（Ｆｉｅｌｄ  Ｅｆｆｅｃｔ  Ｔｒａｎｓｉｓｔｏｒ）のような少なくとも１つのスイッチング素子，例えばスイッチング素子４３ａ，４３ｂから構成することができ，スイッチング制御部４５の制御によってオン／オフされる。
【００７２】
スイッチング制御部４５は，第１スイッチング電圧レギュレータ６０ａからマイコン２０の駆動電源Ｖｍｉｃｏｍと同一な電圧レベルの電源ＶＳ１が出力されるか否かによってスイッチング部４３をオン／オフさせる。例えば，スイッチング制御部４５は，電子装置がオンされてスイッチング電圧レギュレータ６０ａ，６０ｂ，６０ｃ，６０ｎからマイコン２０の駆動電源Ｖｍｉｃｏｍと同一な電圧レベルの電源ＶＳ１が出力される場合，スイッチング部４３をオンさせる。
【００７３】
この場合，リニア電圧レギュレータ５０から出力される電源はダイオード４４の特性，つまり，ダイオード４４のアノード（Ａｎｏｄｅ）とカソード（Ｃａｔｈｏｄｅ）側の間の電圧特性によって遮断され，スイッチング電圧レギュレータ６０ａ，６０ｂ，６０ｃ，６０ｎからの電源のみがマイコン２０の駆動電源Ｖｍｉｃｏｍとして供給される。
【００７４】
ここで，本実施の形態によるスイッチング制御部４５は，マイコン２０であってもよく，マイコン２０はスイッチング電圧レギュレータ６０ａ，６０ｂ，６０ｃ，６０ｎからマイコン２０の駆動電源Ｖｍｉｃｏｍと同一な電圧レベルの電源ＶＳ１が出力されるか否かによってスイッチング部４３を制御することができる。
【００７５】
また，スイッチング制御部４５は第１スイッチング電圧レギュレータ６０ａからマイコン２０の駆動電源Ｖｍｉｃｏｍと同一な電圧レベルの電源ＶＳ１が出力されるか否かによってスイッチング部４３を制御することができる別途の構成要素として備えられ得ることはもちろんである。
【００７６】
そして，スイッチング制御部４５は，図６に示されているように，第１スイッチング電圧レギュレータ６０ａからマイコン２０の駆動電源Ｖｍｉｃｏｍと同一な電圧レベルの電源ＶＳ１が出力されるか否かによって，シャットダウン信号ｓｈｕｔ＿ｄｏｗｎを出力することができる。
【００７７】
スイッチング制御部４５は，スイッチング部４３をオンさせ，第１スイッチング電圧レギュレータ６０ａからマイコン２０の駆動電源Ｖｍｉｃｏｍと同一な電圧レベルの電源ＶＳ１が出力可能な状態になった時から一定時間が経過する場合，シャットダウン信号ｓｈｕｔ＿ｄｏｗｎをリニア電圧レギュレータ５０に出力し，リニア電圧レギュレータ５０を遮断するようになる。
【００７８】
以下，本実施の形態による電子装置において，電子装置がオフされる場合を，図７を参照して説明する。まず，電子装置がオンの状態，つまり，Ｐ４期間の間に，第１スイッチング電圧レギュレータ６０ａから出力される電源ＶＳ１がマイコン２０の駆動電源Ｖｍｉｃｏｍとして供給され，リニア電圧レギュレータ５０はシャットダウン信号出力部８０からのシャットダウン信号ｓｈｕｔ＿ｄｏｗｎによってシャットダウンされた状態である。
【００７９】
ここで，使用者がＴ４時点で電子装置をオフさせる場合，マイコン２０は電源信号出力部７０からの電源信号に対応して第１スイッチング電圧レギュレータ６０ａ及び第２スイッチング電圧レギュレータ６０ｂ及びその他のスイッチング電圧レギュレータ６０ｃ，６０ｎから出力される電源ＶＳ１，ＶＳ２，ＶＳ３，ＶＳｎを予め設定された順序によって遮断する。
【００８０】
この時，シャットダウン信号出力部８０は，Ｔ５時点で第１スイッチング電圧レギュレータ６０ａからマイコン２０に供給される電源ＶＳ１が遮断される前にリニア電圧レギュレータ５０が電源ＶＬを出力可能な状態になるように制御する。ここで，シャットダウン信号出力部８０がシャットダウン信号ｓｈｕｔ＿ｄｏｗｎの論理値によってリニア電圧レギュレータ５０の電源出力の要否を決定する場合，シャットダウン信号ｓｈｕｔ＿ｄｏｗｎの論理値を変化させることによってリニア電圧レギュレータ５０から電源が出力されるように制御する。
【００８１】
例えば，前述のように，シャットダウン信号出力部８０が第２スイッチング電圧レギュレータ６０ｂである場合，マイコン２０がシャットダウン信号ｓｈｕｔ＿ｄｏｗｎを出力する第２スイッチング電圧レギュレータ６０ｂから出力される電源ＶＳ２が第１スイッチング電圧レギュレータ６０ａから出力される電源ＶＳ１より先に遮断されるように，各スイッチング電圧レギュレータ６０ａ，６０ｂ，６０ｃ，６０ｎから出力される電源ＶＳ１，ＶＳ２，ＶＳ３，ＶＳｎの遮断順序が設定されるとよい。これによって，第２スイッチング電圧レギュレータ６０ｂから出力される電源ＶＳ２の電圧レベルはＴ５時点から順次に低くなる。
【００８２】
また，シャットダウン信号出力部８０がマイコン２０である場合，マイコン２０は電源信号が感知される場合とほとんど同時にリニア電圧レギュレータ５０から電源ＶＬが出力可能な状態になるように制御する。これによって，電子装置がオフされる時，第１スイッチング電圧レギュレータ６０ａから出力される電源ＶＳ１が遮断される前にリニア電圧レギュレータ５０から電源ＶＬが出力可能になる。
【００８３】
ここで，図７のＰ５期間は第１スイッチング電圧レギュレータ６０ａとリニア電圧レギュレータ５０の両側から電源の出力が可能な状態を示す。電源選択部４０ａは，図４のＰ２期間でのように，Ｐ５期間の間に第１スイッチング電圧レギュレータ６０ａまたはリニア電圧レギュレータ５０のいずれか１つからの電源ＶＳ１またはＶＬをマイコン２０に印加する。ここで，電源選択部４０ａのスイッチング制御部４５は，Ｐ５期間の間にスイッチング部４３をオンの状態に維持させることによって，第１スイッチング電圧レギュレータ６０ａからの電源ＶＳ１が出力可能な状態となる。
【００８４】
その次に，Ｔ６時点で電源選択部４０ａは，リニア電圧レギュレータ５０からの電源ＶＬをマイコン２０の駆動電源Ｖｍｉｃｏｍとして供給する。ここで，第１の実施の形態及び第２の実施の形態による電子装置においては，Ｐ６に相当する期間は，第１スイッチング電圧レギュレータ６０ａから出力される電源ＶＳ１の電圧レベルがリニア電圧レギュレータ５０から出力される電源ＶＬの電圧レベルより低くなる時点である。また，第３の実施の形態による電子装置におけるＰ６時点は，スイッチング制御部４５がスイッチング部４３をオフさせて第１スイッチング電圧レギュレータ６０ａの電源ＶＳ１の出力を遮断する時点である。
【００８５】
一方，本実施の形態による電子装置は，第１モード及び第２モードに動作することができる。ここで第２モードとは，前述のように，電子装置の多様な動作モードのうちの第１スイッチング電圧レギュレータ６０ａが電源ＶＳ１を出力している状態のモードと定義され，第１モードとは，第１スイッチング電圧レギュレータ６０ａが電源ＶＳ１を出力していない状態のモードと定義され得る。
【００８６】
例えば，第１モードは，前述のように電子装置のオフの状態を含むことができ，電子装置がオンされた状態でも，例えばコンピュータの電源管理方法であるＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）の特定モードで，第１スイッチング電圧レギュレータ６０ａからの電源出力が遮断される場合を含む。
【００８７】
同様に，第２モードは，電子装置がオフの状態である時でも，電子装置の特定電子部品が一定の機能を遂行できるように第１スイッチング電圧レギュレータ６０ａが電源ＶＳ１を出力する場合を含む。
【００８８】
そして，第１の実施の形態及び第２の実施の形態による電源選択部４０の構成と，第３の実施の形態による電源選択部４０ａの構成と，を共に設置することが可能なのはもちろんであり，第３の実施の形態で，リニア電圧レギュレータ５０の電源出力端に別途のスイッチング部を設置することができるのはもちろんである。
【００８９】
そして，前述では第１レギュレータ５０がリニア電圧レギュレータであり，第２レギュレータ６０ａがスイッチング電圧レギュレータであることを一例として説明したが，第２レギュレータ６０ａの電源変換効率が第１レギュレータ５０より良い反面，その駆動時の全体電源消耗が第２レギュレータ６０ａより第１レギュレータ５０が少ない場合には，他の類型のレギュレータが適用されることができる。
【００９０】
このように，マイコンと，第１モードでマイコンの駆動に必要な電源Ｖｍｉｃｏｍを供給する第１レギュレータと，第２モードとで，複数の電子部品のうちの少なくともいずれか１つに電源ＶＳ１を供給する第２レギュレータ６０ａと，電子装置が第２モードに動作する間に第２レギュレータ６０ａからの電源ＶＳ１をマイコン２０の駆動に必要な電源として供給する制御部９０とを設けることによって，電子装置の駆動に必要な電源を減少させることができる。
【００９１】
特に，バッテリーを使用する携帯用電子装置においては，バッテリー１２の使用時間及び寿命を増加させることができる。
【００９２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９３】
本発明は，電子装置及びその制御方法に適用可能であり，特に電源をマイコンの駆動に必要な電源に変換出力するリニア電圧レギュレータと，システム部の駆動に必要な電源に変換出力するスイッチング電圧レギュレータとを備える電子装置及びその制御方法に適用可能である。
【図面の簡単な説明】
【００９４】
【図１】従来の電子装置の制御ブロック図である。
【図２】本実施の形態による電子装置の制御ブロック図である。
【図３】第１の実施の形態による電子装置のレギュレータ及び電源選択部を示す説明図である。
【図４】第１の実施の形態による電子装置のレギュレータの出力電圧波形及び駆動電源の電圧波形を示す説明図である。
【図５】第２の実施の形態による電子装置のレギュレータ及び電源選択部を示す説明図である。
【図６】第３の実施の形態による電子装置のレギュレータ及び電源選択部を示す説明図である。
【図７】第３の実施の形態による電子装置のレギュレータの出力電圧波形及び駆動電源の電圧波形を示す説明図である。
【符号の説明】
【００９５】
１０      電源供給部
１１      アダプタ
１２      バッテリー
１３      電源スイッチング部
２０      マイコン
３０      システム部
４０      電源選択部
５０      リニア電圧レギュレータ
６０ａ    スイッチング電圧レギュレータ
６０ｂ    スイッチング電圧レギュレータ
６０ｃ    スイッチング電圧レギュレータ
６０ｎ    スイッチング電圧レギュレータ
７０      電源信号出力部
８０      シャットダウン信号出力部
９０      制御部
【図１】
2005304296.tif 000003
【図２】
2005304296.tif 000004
【図３】
2005304296.tif 000005
【図４】
2005304296.tif 000006
【図５】
2005304296.tif 000007
【図６】
2005304296.tif 000008
【図７】
2005304296.tif 000009